(57)【特許請求の範囲】
【請求項１】
防水性を要し、電気的に機能する電気部材と、
前記電気部材を固定する固定部材と、
前記固定部材と組み合わされて、前記電気部材を覆う防水カバーと、
侵入した水を排出する孔と、を備え、
前記防水カバーは、前記固定部材の表面が地表と交差するように配置された際に、前記電気部材の上下側又は左右側のいずれか一方に設けられた一対の第１の隔壁と、当該電気部材の上下側又は左右側のいずれか他方に設けられた一対の第２の隔壁と、当該一対の第２の隔壁の外側に設けられた一対の第３の隔壁と、を含み、
前記一対の第１の隔壁、前記一対の第２の隔壁及び前記一対の第３の隔壁が前記固定部材に接するように延びるとともに、
前記一対の第１の隔壁のそれぞれが前記一対の第２の隔壁間の間隙に対向して設けられ、当該一対の第１の隔壁のそれぞれの長さが当該一対の第２の隔壁と対向する部分において当該一対の第２の隔壁の外側間の距離より大きく、
前記一対の第３の隔壁のそれぞれが前記一対の第１の隔壁間の間隙に対向して設けられ、当該一対の第３の隔壁のそれぞれの長さが当該一対の第１の隔壁と対向する部分において当該一対の第１の隔壁の外側間の距離より大きいことを特徴とする電気装置。
【請求項２】
前記孔は、複数であって、下側に位置する、前記固定部材における前記電気部材の固定面側と、前記防水カバーの当該固定部材に対向する面側とに設けられていることを特徴とする請求項１に記載の電気装置。
【請求項３】
前記電気部材は、アンテナ素子であり、前記固定部材は、当該アンテナ素子に対する反射板であることを特徴とする請求項１又は２に記載の電気装置。
【請求項４】
防水性を要し、電気的に機能する電気部材が固定される固定部材の表面が地表と交差する方向に配置された際に、当該電気部材の上下側又は左右側のいずれか一方に設けられた一対の第１の隔壁と、当該電気部材の上下側又は左右側のいずれか他方に設けられた一対の第２の隔壁と、当該一対の第２の隔壁の外側に設けられた一対の第３の隔壁と、を含み、
前記一対の第１の隔壁、前記一対の第２の隔壁及び前記一対の第３の隔壁が前記固定部材に接するように延びるとともに、
前記一対の第１の隔壁のそれぞれが前記一対の第２の隔壁間の間隙に対向して設けられ、当該一対の第１の隔壁のそれぞれの長さが当該一対の第２の隔壁と対向する部分において当該一対の第２の隔壁間の外側における距離より大きく、
前記一対の第３の隔壁のそれぞれが前記一対の第１の隔壁間の間隙に対向して設けられ、当該一対の第３の隔壁のそれぞれの長さが当該一対の第１の隔壁と対向する部分において当該一対の第１の隔壁の外側間の距離より大きく、前記固定部材と組み合わせて用いられることを特徴とする防水カバー。
【発明の詳細な説明】
【技術分野】
【０００１】
本発明は、防水カバーを備えた電気装置及び防水カバーに関する。
【背景技術】
【０００２】
電波を送受信するアンテナや予め定められた帯域の信号を取り出すフィルタなど、防水性を要し、電気的に機能する電気装置であっても、水がかかるおそれがある場所に設置されることがある。このような場合、電気装置は防水ができるカバー（防水カバー）で覆われている場合が多い。すなわち、水がかかるおそれがある場所に設置される電気装置は、防水のためのカバーとカバーで覆われた電気装置本体とを備えている。
例えば、外形において、縦横方向の長さに比べ厚さが小さい平板状のアンテナ（平面アンテナ）が広く用いられるようになっている。平面アンテナは、アンテナ本体とアンテナ本体をカバーするアンテナカバーとから構成されている。そして、多くの場合、平面アンテナは、屋外に設置され、地表に対して垂直又はチルトさせて用いられている。
【０００３】
特許文献１には、一面開口のケースとケースの開口部及びケースの外側壁にかぶせるカバーとを連結子で連結した電子機器筐体において、ケースには外側壁から内側へ所定間隔をおいて内側壁を周設して外側壁との間に排水溝を形成し、この排水溝にドレイン孔を設けると共に、内側壁の頂面を外側壁の頂面より少し高くしたことを特徴とする排水機構を備えた電子機器筐体が記載されている。
【先行技術文献】
【特許文献】
【０００４】
【特許文献１】実公昭６３−５９３８３号公報
【発明の概要】
【発明が解決しようとする課題】
【０００５】
ところで、アンテナやフィルタなどの電気装置の場合、電気装置の内部への雨水等による水の侵入を抑制するため、電気装置本体とカバーとの間をシーリング材やパッキンなどにより防水することが行われてきた。しかし、シーリング材やパッキンなどによる防水は、作業工数を増大させ、コストアップとなっていた。
そこで、電気装置において、シーリング材、パッキンなどを使用することなく、水が侵入しても、電気装置としての機能に有害な影響が発生しないことが求められている。
本発明の目的は、シーリング材やパッキンなどを使用しなくとも、水の侵入に対して、電気装置としての機能に有害な影響の発生が抑制できる防水カバーを備えた電気装置などを提供することにある。
【課題を解決するための手段】
【０００６】
かかる目的のもと、本発明が適用される防水カバーを備えた電気装置は、防水性を要し、電気的に機能する電気部材と、電気部材を固定する固定部材と、固定部材と組み合わされて、電気部材を覆う防水カバーと、侵入した水を排出する孔と、を備え、防水カバーは、固定部材の表面が地表と交差するように配置された際に、電気部材の上下側又は左右側のいずれか一方に設けられた一対の第１の隔壁と、電気部材の上下側又は左右側のいずれか他方に設けられた一対の第２の隔壁と、一対の第２の隔壁の外側に設けられた一対の第３の隔壁と、を含み、一対の第１の隔壁、一対の第２の隔壁及び一対の第３の隔壁が固定部材に接するように延びるとともに、一対の第１の隔壁のそれぞれが一対の第２の隔壁間の間隙に対向して設けられ、一対の第１の隔壁のそれぞれの長さが一対の第２の隔壁と対向する部分において一対の第２の隔壁の外側間の距離より大きく、一対の第３の隔壁のそれぞれが一対の第１の隔壁間の間隙に対向して設けられ、一対の第３の隔壁のそれぞれの長さが一対の第１の隔壁と対向する部分において一対の第１の隔壁の外側間の距離より大きい。
このような電気装置において、孔は、複数であって、下側に位置する、固定部材における電気部材の固定面側と、防水カバーの固定部材に対向する面側とに設けられていることを特徴とすることができる。
これにより、電気装置をチルトさせても、雨水の排出ができる。
電気部材は、アンテナ素子であり、固定部材は、アンテナ素子に対する反射板であることを特徴とすることができる。
これにより、電気装置を平面アンテナとした場合に、構成する部材の数を削減できる。
【０００７】
他の観点から捉えると、本発明が適用される防水カバーは、防水性を要し、電気的に機能する電気部材が固定される固定部材の表面が地表と交差する方向に配置された際に、電気部材の上下側又は左右側のいずれか一方に設けられた一対の第１の隔壁と、電気部材の上下側又は左右側のいずれか他方に設けられた一対の第２の隔壁と、一対の第２の隔壁の外側に設けられた一対の第３の隔壁と、を含み、一対の第１の隔壁、一対の第２の隔壁及び一対の第３の隔壁が固定部材に接するように延びるとともに、一対の第１の隔壁のそれぞれが一対の第２の隔壁間の間隙に対向して設けられ、一対の第１の隔壁のそれぞれの長さが一対の第２の隔壁と対向する部分において一対の第２の隔壁間の外側における距離より大きく、前記一対の第３の隔壁のそれぞれが前記一対の第１の隔壁間の間隙に対向して設けられ、当該一対の第３の隔壁のそれぞれの長さが当該一対の第１の隔壁と対向する部分において当該一対の第１の隔壁の外側間の距離より大きく、固定部材と組み合わせて用いられる。
【発明の効果】
【０００８】
本発明によれば、シーリング材やパッキンなどを使用しなくとも、水の侵入に対して、電気装置としての機能に有害な影響の発生が抑制できる防水カバーを備えた電気装置などが提供できる。
【図面の簡単な説明】
【０００９】
【図１】第１の実施の形態における平面アンテナの概要の一例を説明する図である。（ａ）は、平面アンテナの斜視図、（ｂ）は、平面アンテナにおけるアンテナ本体の反射板のコーナー部の拡大図である。
【図２】第１の実施の形態における平面アンテナの平面図及び断面図である。（ａ）は、平面アンテナの平面図、（ｂ）は、（ａ）のＩＩＢ−ＩＩＢ線での断面図、（ｃ）は、（ａ）のＩＩＣ−ＩＩＣ線での断面図である。
【図３】平面アンテナをチルトさせた（傾けて配置した）場合の水の排出経路を説明する図である。（ａ）は、正のチルト角θに設定した場合における平面アンテナの側面図、（ｂ）は、負のチルト角（−θ）に設定した場合における平面アンテナの側面図である。
【図４】第２の実施の形態における平面アンテナの平面図及び断面図である。（ａ）は、平面アンテナの平面図、（ｂ）は、（ａ）のＩＶＢ−ＩＶＢ線での断面図、（ｃ）は、（ａ）のＩＶＣ−ＩＶＣ線での断面図である。
【図５】第３の実施の形態における平面アンテナの概要の一例を説明する図である。（ａ）は、平面アンテナの斜視図、（ｂ）は、平面アンテナにおけるアンテナ本体の反射板のコーナー部の拡大図である。
【図６】第３の実施の形態における平面アンテナの平面図及び断面図である。（ａ）は、平面アンテナの平面図、（ｂ）は、（ａ）のＶＩＢ−ＶＩＢ線での断面図、（ｃ）は、（ａ）のＶＩＣ−ＶＩＣ線での断面図である。
【図７】第３の実施の形態における平面アンテナを垂直偏波の電波を送受信するように設置した場合を説明する図である。
【図８】第３の実施の形態における平面アンテナを水平偏波の電波を送受信するように設置した場合を説明する図である。
【図９】第４の実施の形態における電子装置の概要の一例を説明する図である。（ａ）は、電子装置の斜視図、（ｂ）は、電子装置本体における固定板のコーナー部の拡大図である。
【発明を実施するための形態】
【００１０】
以下、添付図面を参照して、本発明の実施の形態について詳細に説明する。
なお、本発明の実施の形態では、電気装置が屋外に設置されて雨水がかかる場合の他、例えば、電気装置がトンネル内へ設置された場合においてトンネル内部を洗浄する水や、屋内プールなど水のしぶきが当たる場所に設置された場合において水が当たる場合を含む。
よって、以下では、本発明の実施の形態における電気装置には雨水以外の水もかかることから、雨水などを含めて「水」と表記する。また、水は、上方向からのみかかるのではなく、左右方向及び下方向からもかかるとする。
［第１の実施の形態］
第１の実施の形態では、防水カバーを備えた電気装置の一例として、平面アンテナ１０を説明する。
図１は、第１の実施の形態における平面アンテナ１０の概要の一例を説明する図である。図１（ａ）は、平面アンテナ１０の斜視図、図１（ｂ）は、平面アンテナ１０におけるアンテナ本体１００の反射板１１０のコーナー部の拡大図である。
図１（ａ）において、平面アンテナ１０を説明する。
第１の実施の形態における平面アンテナ１０の外形は、一例として縦横に比べて厚さが薄い直方体の箱型である。
平面アンテナ１０は、アンテナ本体１００とアンテナカバー２００とを備えている。アンテナ本体１００は、反射板１１０とアンテナ素子１２０とを備えている。アンテナカバー２００は、反射板１１０と対向するように配置され、反射板１１０と組み合わされて、空間を構成する。そして、その空間の内部にアンテナ素子１２０を収納する。
ここで、アンテナ素子１２０が電気的に機能する電気部材の一例であって、反射板１１０がアンテナ素子１２０を固定する固定部材の一例である。そして、アンテナカバー２００が防水カバーの一例である。
しかし、反射板１１０の代わりに、他の部材を固定部材とし、他の部材とアンテナカバー２００とを組み合わせて空間を構成し、その空間に反射板１１０及びアンテナ素子１２０を収納するようにしてもよい。
なお、反射板１１０とアンテナカバー２００とで空間を構成することで、平面アンテナ１０を構成する部材の数を削減できる。
【００１１】
アンテナ本体１００の反射板１１０は、底板１１１と底板１１１の周囲を取り囲む４つの側壁１１２ａ、１１２ｂ、１１２ｃ、１１２ｄとを備えている。ここでは、反射板１１０の底板１１１が、地表に対して垂直又は傾けて（交差するように）設置されるとし、側壁１１２ａが上側、側壁１１２ｃが下側に向くように設置されている。
反射板１１０は、アルミニウムなどの電気導電性の金属板で構成されている。そして、一枚の金属板の四隅を切欠き、底板１１１を中心に四辺をアンテナカバー２００側に折り曲げて、折り曲げた部分により側壁１１２ａ、１１２ｂ、１１２ｃ、１１２ｄが構成されている。よって、図１（ｂ）に側壁１１２ｂと側壁１１２ｃとのコーナー部を示すように、側壁１１２ｂと側壁１１２ｃとの間に間隙が生じ、孔１１３ｂが構成されている。他の側壁１１２ａと側壁１１２ｂとの間の間隙、側壁１１２ｃと側壁１１２ｄとの間の間隙、側壁１１２ｄと側壁１１２ａとの間の間隙にも、それぞれ孔１１３ａ、孔１１３ｃ、孔１１３ｄが構成されている。
なお、側壁１１２ａ、１１２ｂ、１１２ｃ、１１２ｄをそれぞれ区別しない場合には、側壁１１２と、孔１１３ａ、１１３ｂ、１１３ｃ、１１３ｄをそれぞれ区別しない場合は孔１１３と表記する。
【００１２】
アンテナ本体１００のアンテナ素子１２０は、例えばダイポールアンテナである。図１（ａ）においては、アンテナ本体１００は、それぞれがダイポールアンテナである４個のアンテナ素子１２０を含むアレイアンテナである。なお、図１（ａ）においては、１つのアンテナ素子にのみ符号（１２０）を付している。
【００１３】
そして、図１（ａ）に示すように、ダイポールアンテナを例として示すアンテナ素子１２０は、２つの放射部が上下方向に並び、垂直偏波を送受信する。すなわち、平面アンテナ１０は、垂直偏波を送受信する単一偏波アンテナである。
【００１４】
なお、アンテナ素子１２０がダイポールアンテナである場合、アンテナ素子１２０の数は、４以外であってもよい。
また、アンテナ素子１２０は、ダイポールアンテナでなくともよく、マイクロストリップアンテナ、スロットアンテナなどであってもよい。
【００１５】
アンテナカバー２００は、蓋板２０１と蓋板２０１の周囲を取り囲む側壁２０２ａ、２０２ｂ、２０２ｃ、２０２ｄとを備えている。そして、側壁２０２ｃには、側壁２０２ｃを貫通する孔２０３ａ、２０３ｂが設けられている。
さらに、アンテナカバー２００は、蓋板２０１から、反射板１１０の底板１１１に向かって延びる隔壁（リブ）２０４ａ、２０４ｂ、２０４ｃ、２０４ｄを備えている。
【００１６】
平面アンテナ１０において、アンテナカバー２００の側壁２０２が、反射板１１０の側壁１１２の外側に接するように組み合わされて（差し込まれて）いる。このとき、アンテナカバー２００の側壁２０２ａと反射板１１０の側壁１１２ａとのように、アンテナカバー２００の側壁２０２と反射板１１０の側壁１１２とは、同じアルファベットの符号のものが対応する。また、隔壁２０４ａ、２０４ｂ、２０４ｃ、２０４ｄも同様に対応する。
すなわち、隔壁２０４ａが上側、隔壁２０４ｂが右側、隔壁２０４ｃが下側、隔壁２０４ｄが左側に配置されている。ここで、隔壁２０４ａ、２０４ｃが一対の第１の隔壁の一例である。隔壁２０４ｂ、２０４ｄが一対の第２の隔壁の一例である。
そして、反射板１１０の側壁１１２の高さは、アンテナカバー２００の側壁２０２の高さより低い。すなわち、図１（ａ）に示すように、反射板１１０の側壁１１２は、アンテナカバー２００の開口側（蓋板２０１から遠い側）において、アンテナカバー２００の側壁２０２の一部と重なるようになっている。
そして、孔２０３ａ、２０３ｂは、アンテナカバー２００の側壁２０２ｃにおいて、反射板１１０の側壁１１２ｃと重ならない部分、すなわちアンテナカバー２００の蓋板２０１に近い側（反射板１１０に対向する面側）に設けられている。
【００１７】
アンテナカバー２００は、アンテナ本体１００が送受信する電波に対して透過性が高いＡＢＳ（ａｃｒｙｌｏｎｉｔｒｉｌｅ  ｂｕｔａｄｉｅｎｅ  ｓｔｙｒｅｎｅ）樹脂、ＡＳＡ（ａｃｒｙｌａｔｅ  ｓｔｙｒｅｎｅ  ａｃｒｙｌｏｎｉｔｒｉｌｅ）樹脂などで構成されている。そして、アンテナカバー２００は、例えば射出成型などにより形成されている。よって、アンテナカバー２００の蓋板２０１、側壁２０２ａ、２０２ｂ、２０２ｃ、２０２ｄ、孔２０３ａ、２０３ｂ、隔壁２０４ａ、２０４ｂ、２０４ｃ、２０４ｄは一体成型されている。射出成型などにより一体形成することで、隔壁２０４ａ、２０４ｂ、２０４ｃ、２０４ｄを含む複雑な構造であっても容易に形成できる。
もちろん、アンテナカバー２００は、切削による加工や複数の板材の組み合わせによって構成されてもよい。また、アンテナカバー２００の材質は、上記樹脂に限らず、電波を透過する材質であれば他の材質であってもよい。
なお、側壁２０２ａ、２０２ｂ、２０２ｃ、２０２ｄをそれぞれ区別しない場合には、側壁２０２と、孔２０３ａ、２０３ｂをそれぞれ区別しない場合は孔２０３と、隔壁２０４ａ、２０４ｂ、２０４ｃ、２０４ｄをそれぞれ区別しない場合は隔壁２０４と表記する。
【００１８】
平面アンテナ１０は、反射板１１０がアンテナカバー２００に組み合わされた後、反射板１１０の側壁１１２とアンテナカバー２００の側壁２０２とがねじ（不図示）などにより固定される。
しかし、反射板１１０とアンテナカバー２００とは、シリコーン樹脂やアクリル樹脂などのシーリング材や、シリコーンゴムなどのパッキンなどにより封止されていない。よって、平面アンテナ１０の内部には、外側から水が侵入するおそれがある。
【００１９】
図２は、第１の実施の形態における平面アンテナ１０の平面図及び断面図である。図２（ａ）は、平面アンテナ１０の平面図、図２（ｂ）は、図２（ａ）のＩＩＢ−ＩＩＢ線での断面図、図２（ｃ）は、図２（ａ）のＩＩＣ−ＩＩＣ線での断面図である。
図２において、図１と同様の部分は、同じ符号を付して説明を省略する。なお、図２（ｂ）、（ｃ）では、アンテナカバー２００に斜線を付している。
【００２０】
図２（ａ）に示すように、平面アンテナ１０におけるアンテナカバー２００の隔壁２０４ａ、２０４ｂ、２０４ｃ、２０４ｄは、アンテナカバー２００の側壁２０２ａ、２０２ｂ、２０２ｃ、２０２ｄと平行に直線的に設けられ、アンテナ素子１２０の四方に配置されている。そして、隔壁２０４ａ、２０４ｂ、２０４ｃ、２０４ｄは、連続（接続）させず、分離して設けられている。
さらに、図２（ｂ）、（ｃ）に示すように、隔壁２０４ａ、２０４ｂ、２０４ｃ、２０４ｄのそれぞれは、アンテナカバー２００の蓋板２０１から延びて、それらの先端部が反射板１１０の底板１１１に接触（密着）するように構成されている。
また、上側の隔壁２０４ａ及び下側の隔壁２０４ｃのそれぞれの左右方向の長さは、右側の隔壁２０４ｂと左側の隔壁２０４ｄと間における左右方向の距離（外側の距離）より、大きく設定されている。すなわち、上側から見た場合、上側の隔壁２０４ａは、右側の隔壁２０４ｂと左側の隔壁２０４ｄとの間の間隙に対向するように設けられている。また、下側から見た場合、下側の隔壁２０４ｃは、右側の隔壁２０４ｂと左側の隔壁２０４ｄとの間隙に対向するように設けられている。
【００２１】
図２（ａ）には、水が平面アンテナ１０内に侵入する場合の、水の流れを示している。
平面アンテナ１０が屋外に設置された場合、水は、平面アンテナ１０上側からのみからばかりでなく、下側、右側、左側、表側（アンテナカバー２００側）、裏側（反射板１１０側）から降りかかる。そこで、平面アンテナ１０は、全方向からの噴流水に対して、アンテナ本体１００の機能、すなわち、電波を送受信する機能に対して有害な影響の発生が抑制されるように構成されることが求められる。
【００２２】
ここでは、アンテナカバー２００は射出成型されていて、蓋板２０１には水が侵入する孔はないとする。
反射板１１０には、アンテナ素子１２０と信号を送受信するためのコネクタ（不図示）が底板１１１を貫通して接続されている。しかし、底板１１１のコネクタが貫通する部分の周囲は、水が侵入しないように、シーリング材やＯリングなどにより封止されているとする。よって、反射板１１０における底板１１１には、水が侵入する孔はないとする。
しかし、平面アンテナ１０は、アンテナ本体１００の反射板１１０にアンテナカバー２００を差し込んで組み立てられ、反射板１１０とアンテナカバー２００との間をシーリング材やパッキンなどで封止していない。よって、反射板１１０の側壁１１２とアンテナカバー２００の側壁２０２との間隙、アンテナカバー２００の側壁２０２と反射板１１０の側壁１１２とを固定するねじの部分、アンテナカバー２００の側壁２０２ｃに設けた孔２０３ａ、２０３ｂ、反射板１１０のコーナー部の孔１１３ａ、１１３ｂ、１１３ｃ、１１３ｄなどから、水が侵入するおそれがある。
【００２３】
図２（ａ）には、平面アンテナ１０の内部に、上側から侵入する水の流れα、右側から侵入する水の流れβ、左側から侵入する水の流れγ、下側から侵入する水の流れδ、アンテナカバー２００の側壁２０２ｃにおける孔２０３ａ、２０３ｂから侵入する水の流れεを示している。なお、水の流れα、β、γ、δは、反射板１１０の側壁１１２とアンテナカバー２００の側壁２０２との間隙、アンテナカバー２００の側壁２０２と反射板１１０の側壁１１２とを固定するねじの部分、反射板１１０のコーナー部の孔１１３ａ、１１３ｂ、１１３ｃ、１１３ｄなど、アンテナカバー２００の側壁２０２ｃに設けた孔２０３ａ、２０３ｂから侵入する水（水の流れε）以外の水の流れをまとめて例示している。
上側から侵入した水の流れαは、隔壁２０４ａに当たり、左右側に向かう。水の流れαのうち、右側に向かう流れは、隔壁２０４ｂの外側（右側）に沿って、下側に向かう。水の流れαのうち、左側に向かう流れは、隔壁２０４ｄの外側（左側）に沿って、下側に向かう。右側から侵入した水の流れβは、隔壁２０４ｂに当たり、下側に向かう。同様に、左側から侵入する水の流れγは、隔壁２０４ｄに当たり、下側に向かう。そして、下側から侵入した水の流れδは、隔壁２０４ｃに当たり、下側に向かう。アンテナカバー２００の側壁２０２ｃの孔２０３ａ、２０３ｂから侵入した水の流れεは、隔壁２０４ｃに当たり、下側に向かう。これらの流れは、アンテナカバー２００の側壁２０２ｃの孔２０３ａ、２０３ｂ又は／及び反射板１１０の孔１１３ｂ、孔１１３ｃに向かう。そして、平面アンテナ１０の内部に侵入した水は、外側に排出される。
【００２４】
以上説明したように、アンテナカバー２００において、上側から侵入する水の流れαは、隔壁２０４ａにより、右側から侵入する水の流れβは、隔壁２０４ｂにより、左側から侵入する水の流れγは、隔壁２０４ｄにより、下側から侵入する水の流れδは、隔壁２０４ｃにより、孔２０３ａ、２０３ｂから侵入する水の流れεは、隔壁２０４ｃにより、アンテナ素子１２０が配置された領域１３０（図２（ｂ）、（ｃ）参照）に入ることが抑制される。
そして、平面アンテナ１０に侵入した水は、上述したように隔壁２０４ａ、２０４ｂ、２０４ｃ、２０４ｄにより導かれて、孔２０３ａ、２０３ｂ又は／及び孔１１３ｂ、１１３ｃから排出される。
【００２５】
なお、アンテナ素子１２０が配置された領域１３０に、何らかの要因により侵入した水は、隔壁２０４ｃに沿って流れ、隔壁２０４ｂと隔壁２０４ｃの間の間隙又は／及び隔壁２０４ｃと隔壁２０４ｄの間の間隙を介して、領域１３０の外に向かい、孔２０３ａ、２０３ｂ又は／及び孔１１３ｂ、１１３ｃから排出される。
すなわち、アンテナ素子１２０が配置された領域１３０に水がたとえ侵入しても、排出される。
【００２６】
このように、第１の実施の形態の平面アンテナ１０では、アンテナカバー２００に隔壁２０４ａ、２０４ｂ、２０４ｃ、２０４ｄを設けることで、反射板１１０とアンテナカバー２００とをシーリング材又はパッキンで封止せず、水が平面アンテナ１０の内部に侵入しても、アンテナ本体１００の機能に有害な影響が発生することが抑制されている。
【００２７】
なお、平面アンテナ１０の反射板１１０とアンテナカバー２００とをシーリング材又はパッキンで封止したとしても、熱膨張などにより生じた間隙から、水が侵入することがあり得る。このため、侵入した水を排出する孔を設けることが行われるが、その孔が水の侵入口となってしまう。
【００２８】
一方、アンテナカバー２００の隔壁２０４ａ、２０４ｂ、２０４ｃ、２０４ｄを連続させて口字状とし、アンテナ素子１２０が配置された領域１３０を囲うことが考えられる。しかし、アンテナ素子１２０が配置された領域１３０に何らかの要因により水が侵入すると、侵入した水は、逆に排出されづらくなってしまう。そこで、第１の実施の形態では、アンテナカバー２００の隔壁２０４ａ、２０４ｂ、２０４ｃ、２０４ｄを、連続（接続）させず、分離して設けている。
そして、上側の隔壁２０４ａの左右方向の長さを、隔壁２０４ｂと隔壁２０４ｄとの間の左右方向の距離（外側の距離）より大きくして、上側から侵入した水が、隔壁２０４ａ上を流れて左右端から下側に流れる際、隔壁２０４ｂの外側（右側）及び隔壁２０４ｄの外側（左側）に流れるようにし、アンテナ素子１２０の設けられた領域１３０に侵入しないようにしている。
【００２９】
なお、隔壁２０４ａ、２０４ｂ、２０４ｃ、２０４ｄのすべてを分離せず、一部を連続するように構成してもよい。この場合、アンテナ素子１２０の設けられた領域１３０に水が侵入しても、侵入した水が排出されるようにすればよい。例えば、水がアンテナ素子１２０の設けられた領域１３０に侵入しづらいように、上側と左右側の隔壁２０４ａ、２０４ｂ、２０４ｄを連続させて構成してもよい。この場合、領域１３０に何らかの要因により侵入した水は、隔壁２０４ｂと隔壁２０４ｃとの間の間隙、隔壁２０４ｃと隔壁２０４ｄとの間の間隙から排出される。
【００３０】
図３は、平面アンテナ１０をチルトさせた（傾けて配置した）場合の水の排出経路を説明する図である。図３（ａ）は、正のチルト角θに設定した場合における平面アンテナ１０の側面図、図３（ｂ）は、負のチルト角（−θ）に設定した場合における平面アンテナ１０の側面図である。
図３（ａ）に示すように、平面アンテナ１０が電波を送受信する面（アンテナカバー２００の蓋板２０１の面）を水平面に対して下側に傾けた正のチルト角θの場合には、平面アンテナ１０に侵入した水は、アンテナカバー２００の側壁２０２ｃに設けた孔２０３ａ、２０３ｂから排出される。ここで、アンテナカバー２００の側壁２０２ｃに設けた孔２０３ａ、２０３ｂは、防水カバーの固定部材に対向する面側に設けられた孔の一例である。
図３（ｂ）に示すように、平面アンテナ１０が電波を送受信する面（アンテナカバー２００の蓋板２０１の面）を水平面に対して上側に傾けた負のチルト角（−θ）の場合には、平面アンテナ１０に侵入する水は、反射板１１０の孔１１３ｂ、孔１１３ｃから排出される。ここで、反射板１１０の孔１１３ｂ、１１３ｃは、固定部材の固定面側に設けられた孔の一例である。
すなわち、平面アンテナ１０を正負のいずれにチルトさせて配置しても、平面アンテナ１０に侵入する水が排出される。なお、前述したように、孔１１３ｂは、反射板１１０の側壁１１２ｂと側壁１１２ｃとの間の間隙、孔１１３ｃは、側壁１１２ｃと側壁１１２ｄとの間の間隙である。孔１１３ｂ、１１３ｃの代わりに、負のチルト角（−θ）の場合に水が排出されるように、他の孔を設けてもよい。
【００３１】
［第２の実施の形態］
図４は、第２の実施の形態における平面アンテナ１０の平面図及び断面図である。図４（ａ）は、平面アンテナ１０の平面図、図４（ｂ）は、図４（ａ）のＩＶＢ−ＩＶＢ線での断面図、図４（ｃ）は、図４（ａ）のＩＶＣ−ＩＶＣ線での断面図である。
第１の実施の形態における平面アンテナ１０の外形は、直方体であったが、第２の実施の形態における平面アンテナ１０は、アンテナカバー２００の蓋板２０１側から見た平面形状が楕円形である。
第１の実施の形態における図２と同様の部分は、同じ符号を付して説明を省略し、異なる部分を説明する。
【００３２】
平面アンテナ１０におけるアンテナ本体１００の反射板１１０は、平面形状が楕円形の底板１１１と底板１１１の周囲に連続して設けられた側壁１１２とを備えている。同様に、アンテナカバー２００は、平面形状が楕円形の蓋板２０１と蓋板２０１の周囲に連続して設けられた側壁２０２とを備えている。
さらに、平面アンテナ１０は、第１の実施の形態と同様に、４つの隔壁２０４ａ、２０４ｂ、２０４ｃ、２０４ｄを備えている。そのうち、図４（ａ）に示すように、３つの隔壁２０４ａ、２０４ｂ、２０４ｄは、楕円形の外縁に沿った形状である。残りの隔壁２０４ｃは、楕円形の外縁に沿わず、逆に左右方向の中央部が上側に凸になっている。
そして、平面アンテナ１０は、アンテナカバー２００の下側に孔２０５を備えている。
【００３３】
よって、平面アンテナ１０の内部に、上側から侵入する水の流れαは、隔壁２０４ａに当たり、左右側に向かう。水の流れαのうち、右側に向かう流れは、隔壁２０４ｂの外側（右側）に沿って、下側に向かう。水の流れαのうち、左側に向かう流れは、隔壁２０４ｄの外側（左側）に沿って、下側に向かう。
右側から侵入する水の流れβは、隔壁２０４ｂに当たり、下側に向かう。同様に、左側から侵入する水の流れγは、隔壁２０４ｄに当たり、下側に向かう。下側から侵入する水の流れδは、隔壁２０４ｃに当たり、下側に向かう。
アンテナカバー２００の下側の孔２０５から侵入する水の流れεは、隔壁２０４ｃに当たり、下側に向かう。これらの流れがアンテナカバー２００の下側の孔２０５に向かう。そして、平面アンテナ１０の内部に侵入した水は、外側に排出される。
【００３４】
以上説明したように、アンテナカバー２００における上側から侵入する水の流れαは、隔壁２０４ａにより、右側から侵入する水の流れβは、隔壁２０４ｂにより、左側から侵入する水の流れγは、隔壁２０４ｄにより、下側から侵入する水の流れδは、隔壁２０４ｃにより、孔２０５から侵入する水の流れεは、隔壁２０４ｃにより、アンテナ素子１２０が配置される領域１３０に侵入することが抑制されている。
なお、水の流れα、β、γ、δは、反射板１１０の側壁１１２とアンテナカバー２００の側壁２０２との間隙、アンテナカバー２００の側壁２０２と反射板１１０の側壁１１２とを固定するねじの部分など、アンテナカバー２００の側壁２０２ｃに設けた孔２０５から侵入する水以外の水の流れをまとめて例示している。
【００３５】
そして、アンテナ素子１２０の設けられた領域１３０に何らかの要因により侵入する水も、隔壁２０４ｃに沿って、左右側に流れ、他の水と同様に排出される。
【００３６】
なお、孔２０５は一つでなくともよく、平面アンテナ１０を正又は負のチルト角でチルトさせて設置した場合に、平面アンテナ１０の内部に侵入する水が外部に排出されるよう、反射板１１０の底板１１１に近い側と、アンテナカバー２００の蓋板２０１に近い側とに、孔を設けてもよい。
また、反射板１１０の底板１１１に近い側の孔を、反射板１１０の側壁１１２に切れ込み（スリット）を設けて形成した孔（第１の実施の形態の反射板１１０の孔１１３ｂ（図１（ｂ）参照）などと同様な孔）としてもよい。
【００３７】
以上説明したように、第２の実施の形態における平面アンテナ１０においても、アンテナカバー２００に隔壁２０４ａ、２０４ｂ、２０４ｃ、２０４ｄを設けることで、反射板１１０とアンテナカバー２００とをシーリング材又はパッキンで封止せず、水が平面アンテナ１０の内部に侵入しても、アンテナ本体１００の機能に有害な影響が発生することが抑制されている。
【００３８】
［第３の実施の形態］
図５は、第３の実施の形態における平面アンテナ１０の概要の一例を説明する図である。図５（ａ）は、平面アンテナ１０の斜視図、図５（ｂ）は、平面アンテナ１０におけるアンテナ本体１００の反射板１１０のコーナー部の拡大図である。
第１の実施の形態の平面アンテナ１０及び第２の実施の形態の平面アンテナ１０は、垂直偏波の電波を送受信した。この場合、水平偏波を送受信する平面アンテナ１０とするために、平面アンテナ１０を右に９０°回転させると、図２から分かるように、隔壁２０４ａと隔壁２０４ｄの間の間隙及び隔壁２０４ｃと隔壁２０４ｄの間の間隙から、水がアンテナ素子１２０が設けられる領域１３０に侵入してしまう。よって、平面アンテナ１０のアンテナカバー２００を外して、アンテナ本体１００におけるアンテナ素子１２０の向きを変更することが必要であった。
第３の実施の形態の平面アンテナ１０は、反射板１１０の底板１１１の面内で９０°回転させることで、水平偏波の電波を送受信する平面アンテナ１０又は垂直偏波の電波を送受信する平面アンテナ１０とすることができる。
図１に示した第１の実施の形態の平面アンテナ１０と同様の部分は、同じ符号を付して説明を省略し、異なる部分を説明する。
【００３９】
第１の実施の形態の平面アンテナ１０では、アンテナカバー２００は、４つの隔壁２０４ａ、２０４ｂ、２０４ｃ、２０４ｄを備えていた。これに対して、第３の実施の形態の平面アンテナ１０では、アンテナカバー２００は、４つの隔壁２０４ａ、２０４ｂ、２０４ｃ、２０４ｄに加えて、隔壁２０４ｅ、２０４ｆをさらに備えている。すなわち、隔壁２０４ｅは、右側に設けられた隔壁２０４ｂの外側（右側）、且つ隔壁２０４ａ、２０４ｃの外側に設けられている。そして、隔壁２０４ｆは、左側に設けられた隔壁２０４ｄの外側（左側）、且つ隔壁２０４ａ、２０４ｃの外側に設けられている。なお、隔壁２０４ａ、２０４ｂ、２０４ｃ、２０４ｄ、２０４ｅ、２０４ｆは、連続（接続）させず、分離して設けられている。
ここで、隔壁２０４ｅ、２０４ｆは、一対の第３の隔壁の一例である。
【００４０】
また、第１の実施の形態の平面アンテナ１０では、アンテナカバー２００の側壁２０２ｃに、孔２０３ａ、２０３ｂを備えていた。これに対して、第３の実施の形態の平面アンテナ１０では、アンテナカバー２００の側壁２０２ｂに、孔２０３ｃ、２０３ｄをさらに備えている。
【００４１】
図６は、第３の実施の形態における平面アンテナ１０の平面図及び断面図である。図６（ａ）は、平面アンテナ１０の平面図、図６（ｂ）は、図６（ａ）のＶＩＢ−ＶＩＢ線での断面図、図６（ｃ）は、図６（ａ）のＶＩＣ−ＶＩＣ線での断面図である。
図６において、図５と同じ部分は、同じ符号を付して説明を省略する。なお、図６（ｂ）、（ｃ）では、アンテナカバー２００に斜線を付している。
【００４２】
図６（ａ）に示すように、右側の隔壁２０４ｅの上下方向の長さ及び左側の隔壁２０４ｆの上下方向のそれぞれの長さは、上側の隔壁２０４ａと下側の隔壁２０４ｃとの間の上下方向の距離（外側の距離）より、大きく設定されている。すなわち、右側から見た場合、右側の隔壁２０４ｅは、上側の隔壁２０４ａと下側の隔壁２０４ｃとの間の間隙に対向して設けられている。また、左側から見た場合、左側の隔壁２０４ｆは、上側の隔壁２０４ａと下側の隔壁２０４ｃとの間の間隙に対向して設けられている。
そして、右側の隔壁２０４ｅと左側の隔壁２０４ｆの左右方向の距離（内側の距離）は、上側の隔壁２０４ａ及び下側の隔壁２０４ｃのそれぞれの長さより、大きく設定されている。
図６（ｂ）に示すように、アンテナカバー２００の隔壁２０４ｅ、２０４ｆも、隔壁２０４ａ、２０４ｂ、２０４ｃ、２０４ｄと同様に、アンテナカバー２００の蓋板２０１から延び、それらの先端部が反射板１１０の底板１１１に達して接触（密着）するように構成されている。
【００４３】
次に、平面アンテナ１０を垂直偏波の電波を送受信するように設置した場合と、水平偏波の電波を送受信するように設置した場合とを説明する。
図７は、第３の実施の形態における平面アンテナ１０を垂直偏波の電波を送受信するように設置した場合を説明する図である。
そして、図７には、平面アンテナ１０の内部に侵入する水の排出経路を示している。
【００４４】
上側から侵入する水の流れαは、隔壁２０４ａに当たり、左右側に向かう。水の流れαにおいて右側に向かう流れは、隔壁２０４ｂと隔壁２０４ｅとの間を通って、下側に向かう。水の流れαにおいて左側に向かう流れは、隔壁２０４ｄと隔壁２０４ｆとの間を通って、下側に向かう。右側から侵入する水の流れβは、隔壁２０４ｅに当たり、下側に向かう。同様に、左側から侵入する水の流れγは、隔壁２０４ｆに当たり、下側に向かう。下側から侵入する水の流れδは、隔壁２０４ｃに当たり、下側に向かう。そして、右側のアンテナカバー２００における孔２０３ｃ、２０３ｄから侵入する水の流れεは、隔壁２０４ｅに当たり、下側に向かう。さらに、下側のアンテナカバー２００における孔２０３ａ、２０３ｂから侵入する水の流れζは、隔壁２０４ｃに当たり、下側に向かう。そして、これらの流れは、アンテナカバー２００の側壁２０２ｃの孔２０３ａ、２０３ｂ又は／及び反射板１１０の側壁１１２ｂと側壁１１２ｃとの間の孔１１３ｂ、側壁１１２ｃと側壁１１２ｄとの間の孔１１３ｃに向かう。そして、平面アンテナ１０の内部に侵入した水は、外側に排出される。
【００４５】
以上説明したように、アンテナカバー２００における上側から侵入する水の流れαは、隔壁２０４ａにより、右側から侵入する水の流れβは、隔壁２０４ｅにより、左側から侵入する水の流れγは、隔壁２０４ｆにより、下側から侵入する水の流れδは、隔壁２０４ｃにより、孔２０３ａ、２０３ｂから侵入する水の流れζは、隔壁２０４ｃにより、孔２０３ｃ、２０３ｄから侵入する水の流れεは、隔壁２０４ｅにより、アンテナ素子１２０が配置される領域１３０に侵入することが抑制されている。
すなわち、平面アンテナ１０を垂直偏波の電波を送受信するように設置した場合において、アンテナ本体１００の反射板１１０とアンテナカバー２００との間をシーリング材又はパッキンで封止せず、水が平面アンテナ１０の内部に侵入しても、平面アンテナ１０におけるアンテナ本体１００の機能に有害な影響が発生することが抑制されている。
なお、水の流れα、β、γ、δは、反射板１１０の側壁１１２とアンテナカバー２００の側壁２０２との間隙、アンテナカバー２００の側壁２０２と反射板１１０の側壁１１２とを固定するねじの部分、反射板１１０のコーナー部の孔１１３ａ、１１３ｂ、１１３ｃ、１１３ｄなど、アンテナカバー２００の側壁２０２ｃに設けた孔２０３ａ、２０３ｂから侵入する水の流れζ、側壁２０２ｂに設けた孔２０３ｃ、２０３ｄから侵入する水の流れε以外の水の流れをまとめて例示している。
【００４６】
図８は、第３の実施の形態における平面アンテナ１０を水平偏波の電波を送受信するように設置した場合を説明する図である。
そして、図８には、平面アンテナ１０の内部に侵入する水の排出経路を示している。
【００４７】
上側から侵入する水の流れαは、隔壁２０４ｆに当たり、左右側に向かう。水の流れαにおいて右側に向かう流れは、隔壁２０４ａの外側（右側）を通って、下側に向かう。水の流れαにおいて左側に向かう流れは、隔壁２０４ｃの外側（左側）を通って、下側に向かう。右側から侵入する水の流れβは、隔壁２０４ａに当たり、下側に向かう。同様に、左側から侵入する水の流れγは、隔壁２０４ｃに当たり、下側に向かう。下側から侵入する水の流れδは、隔壁２０４ｅに当たり、下側に向かう。そして、アンテナカバー２００の左側の側壁２０２ｃにおける孔２０３ａ、２０３ｂから侵入する水の流れεは、隔壁２０４ｃに当たり、下側に向かう。さらに、アンテナカバー２００の下側の側壁２０２ｂにおける孔２０３ｃ、２０３ｄから侵入する水の流れζは、隔壁２０４ｅに当たり、下側に向かう。そして、これらの流れは、アンテナカバー２００の側壁２０２ｂの孔２０３ｃ、２０３ｄ又は／及び反射板１１０の孔１１３ａ、１１３ｂに向かう。そして、平面アンテナ１０の内部に侵入した水は、外側に排出される。
【００４８】
以上説明したように、アンテナカバー２００における上側から侵入する水の流れαは、隔壁２０４ｆにより、右側から侵入する水の流れβは、隔壁２０４ａにより、左側から侵入する水の流れγは、隔壁２０４ｃにより、下側から侵入する水の流れδは、隔壁２０４ｅにより、孔２０３ａ、２０３ｂから侵入する水の流れεは、隔壁２０４ｃにより、孔２０３ｃ、２０３ｄから侵入する水の流れζは、隔壁２０４ｅにより、アンテナ素子１２０が配置される領域１３０に侵入することが抑制されている。
【００４９】
すなわち、平面アンテナ１０は、水平偏波の電波を送受信するように９０°回転させて設置した場合においても、アンテナ本体１００の反射板１１０とアンテナカバー２００との間をシーリング材又はパッキンで封止せず、水が平面アンテナ１０に侵入しても、アンテナ本体１００の機能に有害な影響が発生することが抑制されている。
なお、水の流れα、β、γ、δは、反射板１１０の側壁１１２とアンテナカバー２００の側壁２０２との間隙、アンテナカバー２００の側壁２０２と反射板１１０の側壁１１２とを固定するねじの部分、反射板１１０のコーナー部の孔１１３ａ、１１３ｂ、１１３ｃ、１１３ｄなど、アンテナカバー２００の側壁２０２ｃに設けた孔２０３ａ、２０３ｂから侵入する水の流れε、側壁２０２ｂに設けた孔２０３ｃ、２０３ｄから侵入する水の流れζ以外の水の流れをまとめて例示している。
【００５０】
以上説明したように、平面アンテナ１０のアンテナカバー２００に隔壁２０４ａ、２０４ｂ、２０４ｃ、２０４ｄ、２０４ｅ、２０４ｆを設けることで、平面アンテナ１０を垂直偏波の電波を受信するように設置した場合、９０°回転させて水平偏波の電波を受信するように設置した場合のいずれにおいても、水が平面アンテナ１０に侵入しても、アンテナ本体１００の機能に有害な影響が発生することが抑制されている。
【００５１】
［第４の実施の形態］
第１の実施の形態から第３の実施の形態においては、平面アンテナ１０を、防水カバーを備えた電気装置の一例として説明した。第４の実施の形態では、電子装置２０を、防水カバーを備えた電気装置の他の一例として説明する。
図９は、第４の実施の形態における電子装置２０の概要の一例を説明する図である。図９（ａ）は、電子装置２０の斜視図、図９（ｂ）は、電子装置本体３００における固定板３１０のコーナー部の拡大図である。
第４の実施の形態における電子装置２０は、固定板３１０と、固定板３１０に固定されたフィルタ等の電子回路３２０を備える電子装置本体３００と、電子装置本体３００を覆う電子装置カバー４００とを備えている。
ここで、電子回路３２０が電気的に機能する電気部材の他の一例であって、固定板３１０が電子回路３２０を固定する固定部材の他の一例である。そして、電子装置カバー４００が防水カバーの一例である。
【００５２】
固定板３１０は、底板３１１と底板３１１の周囲を取り囲む４つの側壁３１２ａ、３１２ｂ、３１２ｃ、３１２ｄとを備えている。ここでは、固定板３１０の底板３１１が、地表に対して垂直又は傾けて（交差するように）設置されるとし、側壁３１２ａが上側、側壁３１２ｃが下側に向くように設置されている。
固定板３１０は、第４の実施の形態ではアルミニウムなどの金属板で構成されているが、電気部材を固定することができれば、樹脂等の他の材質であってもよい。そして、一枚の金属板の四隅を切欠き、底板３１１を中心に四辺を電子装置カバー４００側に折り曲げて、折り曲げた部分により側壁３１２ａ、３１２ｂ、３１２ｃ、３１２ｄが構成されている。よって、図９（ｂ）に側壁３１２ｂと側壁３１２ｃとのコーナー部を示すように、側壁３１２ｂと側壁３１２ｃとの間に間隙が生じ、孔３１３ｂが構成されている。他の側壁３１２ａと側壁３１２ｂとの間の間隙、側壁３１２ｃと側壁３１２ｄとの間の間隙、側壁３１２ｄと側壁３１２ａとの間の間隙にも、それぞれ孔３１３ａ、孔３１３ｃ、孔３１３ｄが構成されている。
なお、側壁３１２ａ、３１２ｂ、３１２ｃ、３１２ｄをそれぞれ区別しない場合には、側壁３１２と、孔３１３ａ、３１３ｂ、３１３ｃ、３１３ｄをそれぞれ区別しない場合は孔３１３と表記する。
【００５３】
なお、図９（ａ）では、電子装置２０は、電子回路３２０を３個備えているが、一つの電子回路３２０にのみ符号（３２０）を付している。また、電子装置２０は、図９（ａ）においては、３個の電子回路３２０を配置しているが、数は３に限らない。さらに、電子回路３２０は、フィルタを例に挙げたが、必ずしもフィルタでなくてもよく、分配器や増幅器などの電気的な作用をする装置であればよい。また、電子装置２０は、フィルタ、分配器、増幅器などが組み合わされて構成されたものであってもよい。
【００５４】
電子装置カバー４００は、蓋板４０１と蓋板４０１の周囲を取り囲む側壁４０２ａ、４０２ｂ、４０２ｃ、４０２ｄとを備えている。そして、側壁４０２ｃには、側壁４０２ｃを貫通する孔４０３ａ、４０３ｂが設けられている。
さらに、電子装置カバー４００は、蓋板４０１から、固定板３１０の底板３１１に向かって延びる隔壁（リブ）４０４ａ、４０４ｂ、４０４ｃ、４０４ｄを備えている。なお、側壁４０２ａ、４０２ｂ、４０２ｃ、４０２ｄをそれぞれ区別しない場合には、側壁４０２と、隔壁４０４ａ、４０４ｂ、４０４ｃ、４０４ｄをそれぞれ区別しない場合には、隔壁４０４と表記する。
【００５５】
電子装置２０において、電子装置カバー４００の側壁４０２が、固定板３１０の側壁３１２の外側に接するように組み合わされて（差し込まれて）いる。このとき、電子装置カバー４００の側壁４０２ａと固定板３１０の側壁３１２ａとのように、電子装置カバー４００の側壁４０２と固定板３１０の側壁３１２とは、同じアルファベットの符号のものが対応する。
また、隔壁４０４も同様に対応する。すなわち、隔壁４０４ａが上側、隔壁４０４ｂが右側、隔壁４０４ｃが下側、隔壁４０４ｄが左側に配置されている。ここで、隔壁４０４ａ、４０４ｃが一対の第１の隔壁の一例である。隔壁４０４ｂ、４０４ｄが一対の第２の隔壁の一例である。
そして、固定板３１０の側壁３１２の高さは、電子装置カバー４００の側壁４０２の高さより低い。すなわち、図９（ａ）に示すように、固定板３１０の側壁３１２は、電子装置カバー４００の開口側（蓋板４０１から遠い側）において、電子装置カバー４００の側壁４０２の一部と重なるようになっている。
そして、孔４０３ａ、４０３ｂは、電子装置カバー４００の側壁４０２ｃにおいて、固定板３１０の側壁３１２ｃと重ならない部分、すなわち電子装置カバー４００の蓋板４０１に近い側（固定板３１０に対向する面側）に設けられている。
【００５６】
電子装置カバー４００は、例えば成形が容易なＡＢＳ樹脂、ＡＳＡ樹脂などで構成されている。そして、電子装置カバー４００は、例えば射出成型などにより形成されている。よって、電子装置カバー４００の蓋板４０１、側壁４０２ａ、４０２ｂ、４０２ｃ、４０２ｄ、孔４０３ａ、４０３ｂ、隔壁４０４ａ、４０４ｂ、４０４ｃ、４０４ｄは一体成型されている。射出成型などにより一体形成することで、隔壁４０４ａ、４０４ｂ、４０４ｃ、４０４ｄを含む複雑な構造であっても容易に形成できる。
もちろん、電子装置カバー４００は、切削による加工や複数の板材の組み合わせによって構成されてもよい。また、電子装置カバー４００の材質は、上記樹脂に限らず、アルミニウム等の金属であってもよい。
【００５７】
電子装置２０は、固定板３１０が電子装置カバー４００に組み合わされた後、固定板３１０の側壁３１２と電子装置カバー４００の側壁４０２とがねじ（不図示）などにより固定される。
しかし、固定板３１０と電子装置カバー４００とは、シリコーン樹脂やアクリル樹脂などのシーリング材や、シリコーンゴムなどのパッキンなどにより封止されていない。よって、電子装置２０の内部には、外側から水が侵入するおそれがある。
【００５８】
しかしながら、第４の実施の形態の電子装置２０では、第１の実施の形態における平面アンテナ１０と同様に、電子装置カバー４００に隔壁４０４を設けているので、固定板３１０と電子装置カバー４００とをシーリング材又はパッキンで封止せずに、水が電子装置２０の内部に侵入しても、電子装置２０、すなわち電子回路３２０の機能に有害な影響が発生することが抑制されている。
なお、第１の実施の形態で説明したのと同様であるので、詳細な説明は省略する。
【００５９】
第１の実施の形態から第３の実施の形態において、アンテナカバー２００が樹脂で形成されている場合、隔壁２０４は、反射板１１０に接触した面が密着しやすく、水がアンテナカバー２００の隔壁２０４と反射板１１０との間の間隙を通して、アンテナ素子１２０が配置される領域１３０に侵入することが抑制される。
また、アンテナカバー２００の蓋板２０１の表面は、平坦であるとしたが、機械的強度を増すなどのために、凹部又は／及び凸部を設けてもよい。
【００６０】
同様に、第４の実施の形態において、電子装置カバー４００が樹脂で形成されている場合、電子装置カバー４００の隔壁４０４は、固定板３１０に接触した面が密着しやすく、水が電子装置カバー４００の隔壁４０４と固定板３１０との間の間隙を通して、電子回路３２０が配置される領域３３０に侵入することが抑制される。
また、電子装置カバー４００の蓋板４０１の表面は、平坦であるとしたが、機械的強度を増すなどのために、凹部又は／及び凸部を設けてもよい。
【００６１】
そして、防水カバーが、固定部材を含んでいてもよい。
【符号の説明】
【００６２】
１０…平面アンテナ、２０…電子装置、１００…アンテナ本体、１１０…反射板、１１１、３１１…底板、１１２、１１２ａ、１１２ｂ、１１２ｃ、１１２ｄ、２０２、２０２ａ、２０２ｂ、２０２ｃ、２０２ｄ、３１２、３１２ａ、３１２ｂ、３１２ｃ、３１２ｄ…側壁、１１３、１１３ａ、１１３ｂ、１１３ｃ、１１３ｄ、２０３、２０３ａ、２０３ｂ、２０３ｃ、２０３ｄ、２０５、３１３、３１３ａ、３１３ｂ、３１３ｃ、３１３ｄ、４０３ａ、４０３ｂ…孔、１２０…アンテナ素子、１３０、３３０…領域、２００…アンテナカバー、２０１、４０１…蓋板、２０４、２０４ａ、２０４ｂ、２０４ｃ、２０４ｄ、２０４ｅ、２０４ｆ、４０４、４０４ａ、４０４ｂ、４０４ｃ、４０４ｄ…隔壁、３００…電子装置本体、３１０…固定板、３２０…電子回路、４００…電子装置カバー
【図１】
0005934763.tif 000002
【図２】
0005934763.tif 000003
【図３】
0005934763.tif 000004
【図４】
0005934763.tif 000005
【図５】
0005934763.tif 000006
【図６】
0005934763.tif 000007
【図７】
0005934763.tif 000008
【図８】
0005934763.tif 000009
【図９】
0005934763.tif 000010